(57)【特許請求の範囲】
【請求項１】
給水口と、隔膜を介して陽極室と陰極室を形成し、各々陽極と陰極を配設するとともに陽極水出口と陰極水出口を有する電解槽と、電解質タンクと、前記電解槽内の水を前記電解質タンクに導入する導入路と、前記電解質タンクと前記陽極室とを連通する給液路と、前記給液路を通じて、前記電解質タンクの電解質溶液を所定量、前記陽極室に電解ごとに供給する給液手段と、前記陰極水出口からの生成水を吐出手段を介して吐出する吐出口と、前記給液手段を所定時間だけ駆動して、前記給水口から供給される水を前記電解質タンクに送ることにより前記電解質タンク内の電解質溶液を前記陽極室内に所定量供給しその後電解を行う制御手段とを備え、前記電解槽の電解質供給口を前記電解質タンクの液面よりも上方に配設したバッチ式電解水生成装置。
【請求項２】
給液路に、電解槽の水の侵入を阻止する方向に逆止弁を設けた請求項１記載のバッチ式電解水生成装置。
【請求項３】
陽極室側の水を電解質タンクに供給する請求項１または２に記載のバッチ式電解水生成装置。
【請求項４】
陰極水出口からの生成水を吐出制御する吐出手段と、電解水の吐出口に対向する位置に電解水容器を設け、所定時間電解終了後に吐出手段を駆動して陰極水を電解水容器に貯水する請求項１〜３のいずれか１項に記載のバッチ式電解水生成装置。
【請求項５】
電解水容器の存在を検知する容器検知手段を設け、前記容器検知手段が容器の存在を検知した時のみ電解動作を行う請求項４記載のバッチ式電解水生成装置。
【請求項６】
電解動作開始後に所定時間逆極性通電し、その後通常極性で所定時間電解する請求項１〜５のいずれか１項に記載のバッチ式電解水生成装置。
【請求項７】
給液手段をパルスポンプから構成するとともに前記パルスポンプのパルス駆動回数をカウントするパルスカウンタを設け、このパルスカウンタが所定回数に達した時点で電解質補給要求信号を報知する請求項１〜６のいずれか１項に記載のバッチ式電解水生成装置。
【請求項８】
給水口にフィルタ部材を設けた請求項１〜７のいずれか１項に記載のバッチ式電解水生成装置。
【請求項９】
フィルタ部材をイオン交換樹脂から構成した請求項８記載のバッチ式電解水生成装置。
【発明の詳細な説明】
【０００１】
【発明の属する技術分野】
本発明は、被電解水を電気分解して電解水を生成するバッチ式電解水生成装置に関し、特にｐＨ値の高いアルカリ水を容易に生成できる電解水生成装置に関するものである。
【０００２】
【従来の技術】
電解水生成装置には、水道等の給水設備に接続され、流水状態で電解を行い、酸性水やアルカリ水を生成する流水式と、給水設備に接続しない簡易、低コスト構造で水を滞留状態で電解するバッチ方式がある。流水方式では即座に電解水が取水できるメリットがあるが、酸化力の強い酸性水や還元力の強いアルカリ水を得ようとした場合、電極の大型化が必要となり大電力が必要となるとともに複雑な構成が必要となり、装置全体のコストアップとなる。一方、バッチ方式では滞留状態で電解するため長時間にわたる電解が可能であり、簡易な構成で上記酸性水やアルカリ水が得られやすい。
【０００３】
従来のバッチ方式の電解装置としては、特開平８−２９９９５８号公報に記載されているようなものがあった。この電解装置は図４に示すように、隔膜１によって陽極室２と陰極室３を形成するとともに陽極室２には陽極４を、また陰極室３には陰極５が隔膜１を介して対向配置されている。６は開閉自在な蓋であり、電解時の生成ガスを外部に排出する穴７が設けられている。８は制御回路であり、陽極４と陰極５に通電される。生成された電解水はそれぞれ酸性水出口９およびアルカリ水出口１０より取水される構成となっている。
【０００４】
この構成において、電解に際しては蓋６を開放して電解質としての手作業によって所定濃度に調整した食塩水を電解槽に充填し、制御回路８によって陽極４と陰極５間に電圧が印可され、電気量（電流と時間の積）に応じて所望のｐＨとなるように水が電気分解されて陽極室２には酸性水が、陰極室３にはアルカリ水が生成され、それぞれ酸性水出口９およびアルカリ水出口１０より取水される。なお陽極側に生成される塩素ガスおよび酸素ガス、陰極側に生成される水素ガスは穴７から電解槽外に排出される。
【０００５】
【発明が解決しようとする課題】
しかしながら上記従来のバッチ式電解装置では、以下に述べるような課題があった。
【０００６】
（１）電解前に手作業によって所定濃度の食塩水を作成するため、別途撹拌容器や食塩の計量手段が必要であり、面倒であるとともに食塩濃度が変動し、所望のｐＨ値の電解生成水が得られない。
【０００７】
（２）電解後直ぐに取水せずに放置すると隔膜を介して酸性水およびアルカリ水が浸透混入し、ｐＨ値が劣化する。
【０００８】
（３）水道水などの原水には各種イオンが含まれており、特に多く含まれるカルシウムやマグネシウムイオンなどの陽イオンは陰極側の水酸基と反応して水酸化カルシウムや水酸化マグネシウムとなり、溶解限界を越えると陰極、隔膜の表面に析出し、電解電流の妨害因子となり、長期間使用すると所望のｐＨ値が得られなくなる。
【０００９】
（４）バッチ方式のため水道に直結せず、食塩水生成時点で異物が混入する可能性があり、電解することでその異物が隔膜に付着して隔膜を劣化させる。
【００１０】
（５）水道水の硬度（導電率）には大きなばらつきがあり、前記水酸化カルシウムなどのスケールの析出にばらつきが発生するとともに、所定時間電解した場合、硬度によってｐＨ値にばらつきが生じる。
【００１１】
【課題を解決するための手段】
本発明は上記課題を解決するために、給水口と、隔膜を介して陽極室と陰極室を形成し、各々陽極と陰極を配設するとともに陽極水出口と陰極水出口を有する電解槽と、電解質タンクと、前記電解槽内の水を前記電解質タンクに導入する導入路と、前記電解質タンクと前記陽極室とを連通する給液路と、前記給液路を通じて、前記電解質タンクの電解質溶液を所定量、前記陽極室に電解ごとに供給する給液手段と、前記陰極水出口からの生成水を吐出手段を介して吐出する吐出口と、前記給液手段を所定時間だけ駆動して、前記給水口から供給される水を前記電解質タンクに送ることにより前記電解質タンク内の電解質溶液を前記陽極室内に所定量供給しその後電解を行う制御手段とを備え、前記電解槽の電解質供給口を前記電解質タンクの液面よりも上方に配設したものである。
【００１２】
上記発明によれば、給水口から供給される水を給水することにより電解質タンクの電解質溶液が陽極室に導入されるので、電解槽に水道水などの原水を入れるのみで電解可能となる。
【００１３】
また、手作業によって食塩水などを作製する必要がなく、電解質濃度も安定するので所望のｐＨ値の電解生成水が精度良く得られる。
【００１４】
また、陽極室のみに電解質溶液が供給されるので短時間にｐＨ値の高いアルカリ水が得られる。すなわち、陽／陰極間に電圧が印可されると被電解水に含まれるイオンは電気吸引力により電極と逆極性のイオンが隔膜を通過して移動することとなる。したがって陽極室に導入された電解質イオンは隔膜を経て陰極室へと即座に移動する。この電気吸引力以外にも例えば拡散理論にしたがえば、電解質イオンが拡散によってイオン濃度を均一にするように作用する。この結果、陽／陰極間に流れる電流が増加し、短時間にｐＨ値の高いアルカリ水が得られる。このｐＨ値の高いアルカリ水は油脂の鹸化や乳化作用および蛋白質に対する加水分解作用を有し、家具や住宅建材表面などの洗浄水として利用できる。なお、陰極室は原水なので陽極室へのイオンの移動量は極めて少ない。
【００１５】
また、電解質供給口が電解質タンクの液面よりも上方に設けられているので水頭差により電解質溶液が不要時に電解槽内に流出することがない。つまり電解質供給口が電解質タンク液面よりも下方に設けられた場合、水頭差によって電解質溶液が常時電解槽内に流出することとなり、電解時の電解質濃度を所定値に維持できず、所望のｐＨ値が得られなくなるとともに電解質の不要な消費につながるという不具合が生じるが、上記構成によりそれらの不具合を防止できる。
【００１６】
【発明の実施の形態】
本発明の請求項１に係るバッチ式電解水生成装置は、給水口と、隔膜を介して陽極室と陰極室を形成し、各々陽極と陰極を配設するとともに陽極水出口と陰極水出口を有する電解槽と、電解質タンクと、前記電解槽内の水を前記電解質タンクに導入する導入路と、前記電解質タンクと前記陽極室とを連通する給液路と、前記給液路を通じて、前記電解質タンクの電解質溶液を所定量、前記陽極室に電解ごとに供給する給液手段と、前記陰極水出口からの生成水を吐出手段を介して吐出する吐出口と、前記給液手段を所定時間だけ駆動して、前記給水口から供給される水を前記電解質タンクに送ることにより前記電解質タンク内の電解質溶液を前記陽極室内に所定量供給しその後電解を行う制御手段とを備え、前記電解槽の電解質供給口を前記電解質タンクの液面よりも上方に配設したものである。
【００１７】
そして、給水口から供給される水を給水することにより電解質タンクの電解質が陽極室のみに導入されるので、手作業によって食塩水などを作製する必要がなく、電解質濃度も安定するので所望のｐＨ値の電解生成水が精度良く得られる。
【００１８】
また、陽極室のみに電解質溶液が供給されるので短時間にｐＨ値の高いアルカリ水が得られる。すなわち、陽／陰極間に電圧が印可されると被電解水に含まれるイオンは電気吸引力により電極と逆極性のイオンが隔膜を通過して移動することとなる。したがって陽極室に導入された電解質イオンは隔膜を経て陰極室へと即座に移動する。この電気吸引力以外にも例えば拡散理論にしたがえば、電解質イオンが拡散によってイオン濃度を均一にするように作用する。この結果、陽／陰極間に流れる電流が増加し、短時間にｐＨ値の高いアルカリ水が得られる。このｐＨ値の高いアルカリ水は油脂の鹸化や乳化作用および蛋白質に対する加水分解作用を有し、家具や住宅建材表面などの洗浄水として利用できる。なお、陰極室は原水なので陽極室へのイオンの移動量は極めて少ない。
【００１９】
また、電解質供給口が電解質タンクの液面よりも上方に設けられているので水頭差により電解質溶液が不要時に電解槽内に流出することがない。つまり電解質供給口が電解質タンク液面よりも下方に設けられた場合、水頭差によって電解質溶液が常時電解槽内に流出することとなり、電解時の電解質濃度を所定値に維持できず、所望のｐＨ値が得られなくなるとともに電解質の不要な消費につながるという不具合が生じるが、上記構成によりそれらの不具合を防止できる。
【００２０】
また請求項２に係るバッチ式電解水生成装置は、給液路に電解槽の水の侵入を阻止する方向に逆止弁を設けたものである。
【００２１】
そして、逆止弁を設けることで電解槽への給水時に電解質タンク側への原水の逆流が防止され、電解質溶液の原水逆流による希釈が防止される。この結果、常に所望の濃度の電解質溶液が精度良く電解質供給口から電解槽へ供給されることとなり、安定したｐＨ値が得られる。
【００２２】
また請求項３に係るバッチ式電解水生成装置は、陽極室側の水を電解質タンクに供給する構成としたものである。
【００２３】
そして、陽極室側の水を電解質タンクに供給することで電極や電解槽内に生成されるスケール片による給液手段の目詰まりを防止できる。すなわち電解を行うことで原水に含まれるカルシウムやマグネシウムイオンが水酸基と反応して水酸化カルシウムや水酸化マグネシウムなどのスケールとなって陰極や陰極室壁面に付着し、電解槽に原水を入れる際の剥離作用によって微少なスケール片となって原水に混入される場合がある。したがって陰極室側の水を電解質タンクに供給する構成とした場合、微少流量を制御する給液手段に堆積して目詰まりが発生し、電解質溶液が供給されなくなる場合がある。陽極室側の水を電解質タンクに供給することで上記不具合が防止され、長寿命化が図れる。
【００２４】
また請求項４に係るバッチ式電解水生成装置は、陰極水出口からの生成水を吐出制御する吐出手段と、電解水の吐出口に対向する位置に電解水容器を設け、所定時間電解終了後に吐出手段を駆動して陰極水を電解水容器に貯水する構成としたものである。
【００２５】
そして、電解後アルカリ水を取水することにより隔膜を介しての酸性水およびアルカリ水の浸透混入が防止される。この結果ｐＨ値の劣化が防止されることとなる。
【００２６】
また請求項５に係るバッチ式電解水生成装置は、電解水容器の存在を検知する容器検知手段を設け、前記検知手段が容器の存在を検知した時のみ電解動作を行うようにしたものである。
【００２７】
そして、容器検知手段によって電解水容器が存在するときのみ電解動作に移行するので電解終了後自動的に電解水容器にアルカリ水を吐出することができる。これにより、電解隔膜を介しての酸性水とアルカリ水の浸透混入が防止でき、ｐＨ値の劣化が防止できるとともに、容器が存在しない場合での誤吐出を防止できる。
【００２８】
また請求項６に係るバッチ式電解水生成装置は、電解動作開始後に所定時間逆極性通電し、その後通常極性で所定時間電解する構成としたものである。
【００２９】
そして、電解の都度、電解動作開始後に逆極性通電することで原水に含まれるカルシウムやマグネシウムイオンが水酸基と反応して水酸化カルシウムや水酸化マグネシウムなどの陰極に析出するスケール被膜が酸化還元されて洗浄される。特に１回電解当たりに生成されるスケールは微量であり、電解毎に逆電洗浄することで大幅な電極の長寿命化が実現できる。
【００３０】
また請求項７に係るバッチ式電解水生成装置は、給液手段をパルスポンプから構成するとともに前記パルスポンプのパルス駆動回数をカウントするパルスカウンタを設け、このパルスカウンタが所定回数に達した時点で電解質補給要求信号を報知する構成としたものである。
【００３１】
そして、給液手段の駆動パルスをカウントすることで電解質の消費量が擬似的に検出されるので、電解質の補給を報知することが可能となるとともに電解質レス電解を防止できる。また電気信号を検出するパルスカウンタは安価に構成できるので電解質消費量検出を低コストで実現できる。
【００３２】
また請求項８に係るバッチ式電解水生成装置は、給水口にフィルタ部材を設けたものである。
【００３３】
そして、給水口にフィルタ部材を設けることにより原水に含まれる異物が濾過されて電解槽に入ることとなる。バッチ方式では水道に直結せず、食塩水生成時点で異物が混入する可能性があり、電解によってその異物が隔膜に付着して隔膜を劣化させる場合があるが、フィルタ部材で濾過することにより異物混入が防止されて隔膜の長寿命化が図れる。
【００３４】
また請求項９にかかるバッチ式電解水生成装置は、フィルタ部材をイオン交換樹脂から構成したものである。
【００３５】
そして、水道水の硬度（導電率）には大きなばらつきがあり、例えば硬水では水酸化カルシウムなどのスケール成分を多く含み、陰極へのスケール析出にばらつきが発生するとともに、所定時間電解した場合、硬度によってｐＨ値にばらつきが生じるが、給水時にイオン交換樹脂を通過することで、例えば軟水化が図られ、硬度差によるｐＨ値のばらつきが解消されるとともに、陰極へのスケール析出を低減できる。
【００３６】
【実施例】
以下、本発明の実施例について図面を用いて説明する。
【００３７】
（実施例１）
図１は本発明の実施例１における水浄化装置の構成図を示す。同図において、１１は電解槽であり、隔膜１２によって陽極室１３と陰極室１４が形成されており、各々陽極１５および陰極１６が隔膜１２を介して対向配置されている。電解槽１１の下方には陽極水出口１７と陰極水出口１８が設けられており、上方には給水口１９を有する着脱自在の蓋２０が設けられている。蓋２０には原水に含まれる異物を濾過するフィルタ部材２１が設けられており、ここでは原水のスケール成分となる陽イオンを除去して軟水化するイオン交換樹脂が設けられている。また電解時に陽極室１３から生成される塩素ガスや酸素ガス、陰極室から生成される水素ガスを外部に排気する通孔２２が設けられている。
【００３８】
２３は着脱自在のキャップ２４および電解質床２５を有する電解質タンクであり、ここでは電解質として食塩が充填されている。なお電解質としては、食塩のほかに珪酸塩、炭酸塩、重炭酸塩などの水溶性電解質を用いることができる。電解質タンク２３には陽極室１３の上部に設けられた給水口２６からパルスポンプで構成される給液手段２７によって電解槽１１に入れられた原水が導入路２８を経て電解質タンク２３の上方に送られる。導入された水は食塩と混合して飽和食塩水となり、電解質床２５および給液路２９を通じて電解質供給口３０から電解質溶液が陽極室１３に供給される構成となっている。
【００３９】
ここで、給液路２９の電解質供給口３０近傍には陽極室１３の原水の侵入を阻止する方向に逆止弁３１が設けられており、また電解質供給口３０は電解質タンク２３の液面よりもｈだけ上方位置に設けられている。
【００４０】
陰極水出口１８の下流にはギヤードポンプなどの比較的大流量を制御する吐出手段３２が設けられており、駆動されることで吐出路３３を通じて陰極水が吐出口３４から電解水容器３５に取水される。また陽極水出口１７の下流には排水路３６を通じて陽極水を排出する排水弁３７が設けられている。
【００４１】
３８は後述する操作パネル３９と制御回路４０から成る制御手段であり、電解水容器３５の存在を検知する容器検知手段４１の信号が制御回路４０に入力され、容器検知手段４１によって容器が吐出口３４の対向位置に存在する時のみ電解動作を行うように構成されている。また４２はパルスポンプからなる給液手段２７の駆動パルスをカウントするパルスカウンタであり、累積パルス数をカウントすることで食塩の消費量が擬似的に検出され、所定パルス数に達した時点で食塩補給の報知を行うように構成されている。
【００４２】
操作パネル３９は図２に示すように電源スイッチ４３と電解スイッチ４４を有するとともに容器検知手段４１によって電解水容器３５が存在することを報知する容器セット報知手段４５とパルスカウンタ４２の累積パルスが所定値に達した時点で食塩補給を報知する食塩補給報知手段４６を有しており、電解スイッチ４４を投入することで制御回路４０が動作して給液手段２７、陽／陰極１５、１６および吐出手段３２が駆動されるように構成されている。
【００４３】
上記構成において次に動作、作用について説明する。
【００４４】
電解前に給水口１９から電解槽１１の所定水位まで原水を入れる。この際、原水は陽イオン交換樹脂からなるフィルタ部材２１を通過することとなり、原水に含まれる比較的大きな異物が濾過されるとともに、カルシウム、マグネシウムイオンなどの陽イオンが除去されて軟水化される。バッチ方式では水道に直結せず、食塩水生成時点で異物が混入する可能性があり、電解によってその異物が隔膜に付着して隔膜を劣化させる場合があるが、フィルタ部材２１で濾過することにより異物混入が防止されて隔膜の長寿命化が図れる。
【００４５】
また、水道水の硬度（導電率）には大きなばらつきがあり、例えば硬水では水酸化カルシウムなどのスケール成分を多く含み、陰極へのスケール析出にばらつきが発生するとともに、所定時間電解した場合、硬度によってｐＨ値にばらつきが生じるが、給水時に陽イオン交換樹脂を通過することで、軟水化されるので硬度差によるｐＨ値のばらつきが解消されるとともに、陰極１６へのスケール析出を低減できる。
【００４６】
次に、図２に示した操作パネル３９の電源スイッチ４３を投入し、電解スイッチ４４を投入することで電解動作が開始される。なお、この時電解水容器３５が所定位置にセットされていれば操作パネル３９の容器セット報知手段４５が点灯し、電解動作が開始される。電解水容器３５が吐出口３４に対向する位置に載置されていない場合は容器検知手段４１によって検出され、電解動作に移行しない。これにより誤って容器外に電解水を吐出することがなくなる。
【００４７】
電解動作について図３に示したタイムチャートに基づいて説明する。電解スイッチ４４が投入されると、まず給液手段２７が所定時間ｔｐだけ駆動され、陽極室１３の原水が導入路２８を経て電解質タンク２３に送られる。電解質タンク２３は水密状態に構成されており、原水が導入されることにより過飽和状態の食塩水が電解質床２５、給液路２９、逆止弁３１を経て電解質供給口３０から陽極室１３内に所定量供給され、所定濃度の食塩希釈水となる。次いで制御回路４０が動作して陽極１５と陰極１６間に逆極性、つまり陽極１５側をー極、陰極１６側を＋極として電流が所定時間ｔｒ印可される。これにより前回の電解によって陰極１６の表面に析出したスケール成分が酸化還元されて洗浄される。すなわち、原水には各種のイオンが含まれており、特にカルシウムイオンやマグネシウムイオンなどの陽イオンは陰極室１４側の水酸基と反応して水酸化カルシウムや水酸化マグネシウムとなり、溶解限界を越えると陰極１６や隔膜１２の表面に析出し、電解電流の妨害因子となるが、電解前に逆電洗浄を所定時間ｔｒ行うことで良好に洗浄されてスケール成分が分解され、電極の長寿命化が実現できる。
【００４８】
その後通常極性ので所定時間ｔｅだけ電気分解される。電解時の陽極室１３では化学式１に示した反応が生じて酸性水が生成される。
【００４９】
（化式１）
２Ｃｌ-→Ｃｌ2↑＋２ｅ-
Ｃｌ2＋Ｈ2Ｏ→ＨＣｌ＋ＨＣｌＯ
２Ｈ2Ｏ→Ｏ2↑＋４Ｈ+＋４ｅ-
一方、陰極室１４では化式２に示した反応が生じて水酸基ＯＨ-を中和するためＮａ+が隔膜１２を通過して移動し、アルカリ水が生成される。
【００５０】
（化式２）
２Ｈ2Ｏ＋２ｅ-→Ｈ2↑＋２ＯＨ-
Ｎａ+＋ｅ-→Ｎａ
２Ｎａ＋２Ｈ2Ｏ→２ＮａＯＨ＋Ｈ2↑
ここで、陽極室１３のみに食塩溶液が供給されるので短時間に還元力の強いアルカリ水が得られる。すなわち、陽極１５と陰極１６間に電圧が印可されると被電解水に含まれるイオンは電気吸引力により陽／陰極１５、１６と逆極性のイオンが隔膜１２を通過して移動することとなる。したがって陽極室１３に導入された食塩に含まれるＮａイオンは隔膜１２を経て陰極室１４へと即座に移動する。この電気吸引力以外にも例えば拡散理論にしたがえば、Ｎａイオンが拡散によってイオン濃度を均一にするように作用する。この結果、陽／陰極１５、１６間に流れる電流が増加し、短時間に還元力の強いアルカリ水が得られる。実験によれば５００ＣＣの水を１Ａで５分間電解することでｐＨ１２．１のアルカリ水が得られた。この還元力の強いアルカリ水は油脂の鹸化や乳化作用および蛋白質に対する加水分解作用を有し、家具や住宅建材、電気製品などの表面の洗浄水として利用できる。
【００５１】
また陽極室１３のみに食塩溶液が供給されることで陰極室１４には塩素イオンＣｌ-濃度の低いアルカリ水が生成される。Ｃｌ-は洗浄力を阻害する因子となるため、陽極室１３のみに食塩溶液が供給することで洗浄力の高いアルカリ水を生成できる。
【００５２】
陽極室１３に生成される塩素ガスＣｌ2↑、酸素ガスＯ2↑および陰極室１４に生成される水素ガスＨ2↑は通孔２２、フィルタ部材２１を通過して外部に排出される。
【００５３】
陰極室１４に生成されたアルカリ水は、所定時間ｔｅ電解された後、直ちに吐水手段３２が駆動されて吐出路３３を通じて吐出口３４から電解水容器３５に注入される。これにより電解隔膜を介しての酸性水とアルカリ水の浸透混入が防止でき、ｐＨ値の劣化が防止できるとともに、容器が存在しない場合での誤吐出を防止できる。なお、電解水容器３５には噴霧機構（図示せず）を設けて被洗浄面に直接スプレー噴霧して使用することもできる。
【００５４】
陽極室１３に生成された酸性水は排水弁３７を開成することで排水路３６を通過して排出される。なお同時生成される酸性水は殺菌作用を有しており、殺菌水として利用することができる。また所定の比率でアルカリ水と混合して中性もしくは弱酸性殺菌水として利用することもできる。
【００５５】
また、パルスカウンタ４２はパルスポンプから構成される給液手段２７の駆動信号であるパルス数をカウントする。このパルス数によって食塩の消費量が決まり、所定パルス数すなわち電解質タンク２３内の食塩残量が少なくなった時点で操作パネル３９の食塩補給報知手段４６が点灯もしくは点滅し、食塩の補給が使用者に報知される。
【００５６】
また、本実施例では電解質供給口３０が電解質タンク２３の液面よりも上方に設けられているので不要時における水頭差による電解質溶液の陽極室１３内への流出が防止できる。つまり電解質供給口３０が電解質タンク２３の液面よりも下方に設けられた場合、水頭差によって電解質溶液が常時陽極室１３内に流出することとなり、電解時の電解質濃度を所定値に維持できず、所望のｐＨ値が得られなくなるとともに電解質の不要な消費につながるという不具合が生じるが、上記構成によりそれらの不具合を防止できる。
【００５７】
また給液路２９に逆止弁３１を設けたので陽極室１３への給水時に電解質タンク２３側への原水の逆流が防止され、電解質溶液の原水逆流による希釈が防止される。この結果、常に所望の濃度の電解質溶液が精度良く電解質供給口３０から電解槽へ供給されることとなり、安定したｐＨ値が得られる。
【００５８】
また陽極室１３側の水を電解質タンク２３に供給する構成としので、陰極１６や陰極室１４内に生成されるスケール片による給液手段２７の目詰まりを防止できる。すなわち電解を行うことで原水に含まれるカルシウムやマグネシウムイオンが水酸基と反応して水酸化カルシウムや水酸化マグネシウムなどのスケールとなって陰極１６や陰極室１４壁面に付着し、電解槽１１に原水を入れる際の剥離作用によって微少なスケール片となって原水に混入される場合がある。したがって陰極室１４側の水を電解質タンク２３に供給する構成とした場合、微少流量を制御する給液手段２７にスケール片が堆積して目詰まりが発生し、電解質溶液が供給されなくなる場合があるが、陽極室１３側の水を電解質タンク２３に供給することで上記不具合が防止され、給液手段２７の長寿命化が図れる。
【００５９】
【発明の効果】
以上説明したように請求項１〜９に記載の発明によれば、電解槽から給水することにより電解質タンクの希釈電解質が自動的に陽極室に導入されるので、手作業によって食塩水などを作製する必要がなく、電解質濃度も安定するので所望のｐＨ値の電解生成水が精度良く得られる。
【００６０】
また、陽極室のみに電解質溶液が供給されるので、陽／陰極間に流れる電流が増加し、短時間にｐＨ値の高いアルカリ水が得られる。このｐＨ値の高いアルカリ水は油脂の鹸化や乳化作用および蛋白質に対する加水分解作用を有し、家具や住宅建材表面などの洗浄水として利用できるとともに塩素イオンの含有量の少なカリ水が生成できるので洗浄力が向上する。
【図面の簡単な説明】
【図１】本発明の実施例１におけるバッチ式電解水生成装置の構成図
【図２】同装置の操作パネルの構成図
【図３】同装置の給液手段、電解電流及び吐出手段の動作を示すタイムチャート
【図４】従来のバッチ式電解水生成装置の構成図
【符号の説明】
１１  電解槽
１２  隔膜
１３  陽極室
１４  陰極室
１５  陽極
１６  陰極
１７  陽極水出口
１８  陰極水出口
１９  給水口
２１  フィルタ部材（イオン交換樹脂）
２３  電解質タンク
２７  給液手段
２８  導入路
２９  給液路
３０  電解質供給口
３１  逆止弁
３２  吐出手段
３４  吐出口
３５  電解水容器
３８  制御手段
４１  容器検出手段
４２  パルスカウンタ
【図１】
0004085724.tif 000002
【図２】
0004085724.tif 000003
【図３】
0004085724.tif 000004
【図４】
0004085724.tif 000005